(57)【要約】【課題】長期間使用しても、ネックセルの位置及びネックセルの第１のスリーブと第２のスリーブとの間の構成関係が変わらないゴルフクラブの提供を目的とする。【解決手段】ネック付きのヘッド本体３１と、シャフト３２と、ネックセル２とからなるゴルフクラブにおいて、ネックセル２は、シリコーン材からなり、且つ、シャフト３１のネック３１０に近い一側に外嵌している第１のスリーブ２１と、第１のスリーブ２１に外嵌し、かつ先端面２２１がネック３１０の端面と当接している大径部２２５と、大径部２２５から前記シャフトの延伸方向に沿ってネック３１０から遠ざかるように延長しながらシャフト３２に外嵌し、かつその内表面と大径部２２５の内表面との間に形成された段面２２２が第１のスリーブ２１のネック３１０から遠い一端面２１２と当接するようになっている小径部２２４とからなる第２のスリーブ２２と、を備えているゴルフクラブ。【選択図】図１
2011254946.tif 000002
【特許請求の範囲】
【請求項１】
ネック付きのヘッド本体と、前記ヘッド本体のネックに先端部を嵌挿することにより前記ヘッド本体と連結しているシャフトと、前記シャフトが前記ネックに嵌挿している箇所の直前箇所で前記シャフトに外嵌しているネックセルとからなるゴルフクラブにおいて、
前記ネックセルは、
シリコーン材からなり、かつ前記シャフトにおける前記直前箇所の前記ネックに近い一側に外嵌している第１のスリーブと、
前記第１のスリーブに外嵌し、かつ先端面が前記ネックの端面と当接している大径部、および前記大径部から前記シャフトの延伸方向に沿って前記ネックから遠ざかるように延長しながら前記シャフトにおける前記直前箇所の他側に外嵌し、かつその内表面と前記大径部の内表面との間に形成された段面が前記第１のスリーブの前記ネックから遠い一端面と当接するようになっている小径部とからなる第２のスリーブと、
を備えていることを特徴とするゴルフクラブ。
【請求項２】
前記第１のスリーブは、前記ネックに近い先端縁の外側面に環状凹溝が形成されており、
前記第２のスリーブは、前記ネックに近い先端縁の内側面にフランジが突出して前記環状凹溝と噛み合っていることを特徴とする請求項１に記載のゴルフクラブ。
【請求項３】
ネック付きのヘッド本体と、前記ヘッド本体におけるネックに先端部を嵌挿することにより前記ヘッド本体と連結しているシャフトと、前記シャフトが前記ネックに嵌挿している箇所の直前箇所で前記シャフトに外嵌しているネックセルとからなるゴルフクラブにおいて、
前記ネックセルは、
シリコーン材からなり、かつ前記シャフトにおける前記直前箇所の前記ネックに近い一側に外嵌している第一の部分と該第一の部分の前記ネックに近い端縁から前記ネックに内嵌するように延長してなる第二の部分とを備えている第１のスリーブと、
前記第一の部分に外嵌し、かつ先端面が前記ネックの端面と当接している大径部、および前記大径部から前記シャフトの延伸方向に沿って前記ネックから遠ざかるように延長しながら前記シャフトにおける前記直前箇所の他側に外嵌し、かつその内表面と前記大径部の内表面との間に形成された段面が前記第１のスリーブの前記ネックから遠い一端面と当接するようになっている小径部からなる第２のスリーブとを備えており、且つ、
前記第１のスリーブは、前記第一の部分の前記第二の部分と隣り合っている先端縁の外側面、及び、前記第二の部分自体の外側面にそれぞれ環状凹溝が形成されており、
前記第２のスリーブは、前記ネックに近い先端縁の内側面にフランジが突出して前記第一の部分における環状凹溝と噛み合っており、
前記ネックは、該ネックの内側面にフランジが突出して前記第二の部分における環状凹溝と噛み合っていることを特徴とするゴルフクラブ。
【発明の詳細な説明】
【技術分野】
【０００１】
本発明は、ゴルフクラブに関し、特にシャフトとヘッド本体との間にネックセルが設けられているゴルフクラブに関する。
【背景技術】
【０００２】
従来のゴルフクラブは、通常、図４に示したように、ネック付きのヘッド本体１１と、ヘッド本体１１のネック１１１に先端部が嵌挿することによりヘッド本体１１に連結しているシャフト１２と、シャフト１２がネック１１１に嵌挿している箇所の直前箇所でシャフト１２に外嵌している飾りとしてのネックセル１３とからなる（下記
【特許文献１】参照）。
【０００３】
この従来のゴルフクラブは、その構成部材のヘッド本体１１、シャフト１２及びネックセル１３がいずれも金属材からなっているため、強度が高いが、打球時の振動による衝撃力が直接に金属材を通じてシャフト１２を掴む手に伝わるので、使い心地が良くない、という欠点がある。
【０００４】
その衝撃力を緩和するため、市販のゴルフクラブにも、そのネックセル１４が、シャフト１１における前記直前箇所に直接に外嵌している第１のスリーブ１４１と、該第１のスリーブ１４１に外嵌している第２のスリーブ１４２と、からなるものがある（図５参照）。
【０００５】
この従来のゴルフクラブの構成部材は、ネックセル１４の第２のスリーブ１４２がプラスチック製の硬いものであり、第１のスリーブ１４１がゴム材又は二液型のエポキシ樹脂系接着剤からなる柔軟なものであるので、飾りとしての機能だけでなく、打球時の振動による衝撃力を吸収し、ユーザに与える不快感を軽減させることができる、という制震機能もある。
【先行技術文献】
【特許文献】
【０００６】
【特許文献１】台湾実用新案第５４０４０２号公報
【発明の概要】
【発明が解決しようとする課題】
【０００７】
しかしながら、この衝撃力軽減機能を有するネックセル１４における第１のスリーブ１４１は、構成材料として柔軟なゴム材や二液型のエポキシ樹脂系接着剤を使用する場合、打球時の振動による衝撃力により変形・復元する伸縮運動を繰り返し、最終的に外カバーとしての第２のスリーブ１４２と共にシャフト１１に沿って移動したり、または第２のスリーブ１４２とシャフト１１との間の隙間から押し出されたりし、ネックセル１４全体の構成を崩し、ネックセル１４の制震機能を失わせるおそれがある。
【０００８】
前記の問題点を解消するために、本発明は、ネックセルにおける第１のスリーブが、外カバーとしての第２のスリーブとシャフトとの間から押し出されにくいゴルフクラブの提供を第一の目的とし、また更に、第２のスリーブと共にシャフトに沿って移動することもないゴルフクラブの提供を第二の目的とする。
【課題を解決するための手段】
【０００９】
前記第一の目的を達成するために、本発明はまず、ネック付きのヘッド本体と、前記ヘッド本体のネックに先端部が嵌挿することにより前記ヘッド本体と連結しているシャフトと、前記シャフトが前記ネックに嵌挿している箇所の直前箇所で前記シャフトに外嵌しているネックセルとからなるゴルフクラブにおいて、前記ネックセルは、シリコーン材からなり、かつ前記シャフトにおける前記直前箇所の前記ネックに近い一側に外嵌している第１のスリーブと、前記第１のスリーブに外嵌し、かつその先端面が前記ネックの端面と当接している大径部、及び前記大径部から前記シャフトの延伸方向に沿って前記ネックから遠ざかるように延長しながら前記シャフトにおける前記直前箇所の他側に外嵌し、かつその内表面と前記大径部の内表面との間に形成された段面が前記第１のスリーブの前記ネックから遠い一端面と当接するようになっている小径部からなる第２のスリーブと、を備えているゴルフクラブを提供する。
【００１０】
前記第１のスリーブは、その前記ネックに近い先端縁の外側面に環状凹溝が形成されており、前記第２のスリーブは、その前記ネックに近い先端縁の内側面にフランジが突出して前記環状凹溝と噛み合っていることが好ましい。
【００１１】
また、前記第二の目的を達成するために、本発明は、ネック付きのヘッド本体と、前記ヘッド本体のネックに先端部が嵌挿することにより前記ヘッド本体と連結しているシャフトと、前記シャフトが前記ネックに嵌挿している箇所の直前箇所で前記シャフトに外嵌しているネックセルとからなるゴルフクラブにおいて、前記ネックセルは、シリコーン材からなり、かつ前記シャフトにおける前記直前箇所の前記ネックに近い一側に外嵌している第一の部分、及び該第一の部分の前記ネックに近い端縁から前記ネックに内嵌するように延長してなる第二の部分を備える第１のスリーブと、前記第一の部分に外嵌し、かつその先端面が前記ネックの端面と当接している大径部、及び前記大径部から前記シャフトの延伸方向に沿って前記ネックから遠ざかるように延長しながら前記シャフトにおける前記直前箇所の他側に外嵌し、かつその内表面と前記大径部の内表面との間に形成された段面が前記第１のスリーブの前記ネックから遠い一端面と当接するようになる小径部からなる第２のスリーブとを備えており、且つ、前記第１のスリーブは、その前記第一の部分の前記第二の部分と隣り合っている先端縁の外側面、及びその前記第二の部分自体の外側面にそれぞれ環状凹溝が形成されており、前記第２のスリーブは、その前記ネックに近い先端縁の内側面にフランジが突出して前記第一の部分における環状凹溝と噛み合っており、前記ネックは、その内側面にフランジが突出して前記第二の部分における環状凹溝と噛み合っているゴルフクラブを提供する。
【発明の効果】
【００１２】
本発明の前記第一の目的を達成するための構成における第１のスリーブは、外カバーとしての第２のスリーブの段面に当接し、移動できないようになっているので、打球時の振動による衝撃力により変形・復元する伸縮運動を繰り返しても、第２のスリーブとシャフトとの間の隙間から押し出される可能性がなく、ネックセル全体の構成及び制震機能を長期間保持することができる。特に、その前記ネックに近い先端縁の外側面に環状凹溝が形成されており、前記第２のスリーブの前記ネックに近い先端縁の内側面にフランジが突出して前記環状凹溝と噛み合っている場合、第１のスリーブの位置が第２のスリーブの内側により制限されるので、より確実な移動防止の効果を有する。
【００１３】
本発明の前記第二の目的を達成するための構成における第１のスリーブは、外カバーとしての第２のスリーブの段面に当接し、移動できないようになっているので第２のスリーブとシャフトとの間の隙間から押し出される可能性がなく、その第一の部分の前記第二の部分と隣り合っている先端縁の外側面に形成されている環状凹溝が第２のスリーブに形成されているフランジに係止され、また、その第二の部分自体の外側面に形成されている環状凹溝がネックの内側面に形成されているフランジに係止されているので、その外カバーとしての第２のスリーブと共にシャフトに沿って移動することもなく、ネックセル全体の構成及び制震機能を更に長期間保持することができる。
【００１４】
また、上記二つの構成における第１のスリーブは、いずれも摩擦抵抗が大きいシリコーン材からなっているので、前記効果が更に上がる。
【図面の簡単な説明】
【００１５】
【図１】本発明の第１の実施形態であるゴルフクラブの部分断面図である。
【図２】図１のネックセルの断面図である。
【図３】本発明の第２の実施形態であるゴルフクラブの部分断面図である。
【図４】特許文献１のゴルフクラブの部分断面図である。
【図５】他の従来のゴルフクラブの部分断面図である。
【発明を実施するための形態】
【００１６】
図１に示したように、本発明のゴルフクラブは、ネック付きのヘッド本体３１と、シャフト３２と、ネックセル２とからなる。シャフト３２は、その先端部がヘッド本体３１のネック３１０に嵌挿することによりヘッド本体３１と連結している。
【００１７】
ネックセル２は、基本的に、シャフト３２がネック３１０に嵌挿している箇所の直前箇所で前記シャフトに外嵌し、第１のスリーブ２１と第２のスリーブ２２とからなっている（図２参照）。
【００１８】
第１のスリーブ２１は、管状のシリコーンからなり、シャフト３２における前記直前箇所のネック３１０に近い一側に外嵌している。また、第１のスリーブ２１のネック３１０に近い先端縁の外側面に、環状凹溝２３２が形成してある。
【００１９】
第２のスリーブ２２は、プラスチック製であり、外側面は先端縁（Ｌ１）から後端縁（Ｌ２）へと外径が徐々に細くなる台形錐状になっているが、内側面は、先端側が大径部２２５となり、後端側が小径部２２４となり、両方とも円柱形孔を画成しているので、その大径部２２５の内表面と小径部２２４の内側面との間に段面２２２が形成される。
【００２０】
図面をもっと詳しくみると、第２のスリーブ２２における大径部２２５は、第１のスリーブ２１に外嵌し、かつその先端面２２１が、ネック３１０の端面と当接している。第２のスリーブ２２における小径部２２４は、大径部２２５からシャフト３２の延伸方向に沿ってネック３１０から遠ざかるように延長しながらシャフト３２における前記直前箇所の他側に外嵌し、かつその内表面と大径部２２５の内表面との間に形成された段面２２２が第１のスリーブ２１のネック３１０から遠い一端面２１２と当接している。また、第２のスリーブ２２の、ネック３１０に近い先端縁の内側面に、フランジ２３１が突出して環状凹溝２３２と噛み合っている。
【００２１】
以上の構造によれば、第１のスリーブ２１は、その他端面２１１が第２のスリーブ２２の先端面２２１と共にネック３１０の端面と当接し、一端面２１２が段面２２２と当接するようにシャフト３２の前記直前箇所に外嵌しおり、且つ、環状凹溝２３２により第２のスリーブ２２のフランジ２３１と噛み合っているので、ネック３１０の端面と第２のスリーブ２２の段面２２２との間で移動できないようになっており、更に、第２のスリーブ２２の内側面によっても制限されているため、打球時の振動による衝撃力により変形・復元する伸縮運動を繰り返しても、第２のスリーブ２２とシャフト３２との間の隙間から押し出される可能性がなく、ネックセル２全体の構成及び制震機能を長期間保持することができる。また、該第１のスリーブ２１は、移動の摩擦抵抗がより大きいシリコーンからなっているので、前記効果が更に上がる。
【００２２】
本発明の第２の実施形態について以下の通りに説明する。
【００２３】
第１の実施形態における第１のスリーブ２１は、全体がシャフト３２における前記直前箇所のネック３１０に近い一側に外嵌しているが、第２の実施形態における第１のスリーブ２１は、一部しかシャフト３２における前記直前箇所のネック３１０に近い一側に外嵌していない。詳細に言うと、第２の実施形態における第１のスリーブ２１は、図３に示したように、第一の部分２１３と第二の部分２１４とからなり、第一の部分２１３はシャフト３２における前記直前箇所のネック３１０に近い一側に外嵌しているが、第二の部分２１４は第一の部分２１３のネック３１０に近い端縁からネック３１０に内嵌するように延長してなる。
【００２４】
そして、この第２の実施形態において、第１のスリーブ２１は、第一の部分２１３の第二の部分２１４と隣り合っている端縁の外側面、及び、第二の部分２１４自体の外側面にそれぞれ環状凹溝２３２、２３３が形成されている。第２のスリーブ２２は、そのネック３１０に近い先端縁の内側面にフランジ２３１が突出して第一の部分２１３の環状凹溝２３２と噛み合っている。また、ネック３１０は、その内側面にフランジ３１１が突出して第二の部分２１４の環状凹溝２３３と噛み合っている。
【００２５】
それにより、第２の実施形態におけるゴルフクラブの第１のスリーブ２１は、第１の実施形態の効果を有する上、第一の部分２１３の前記第二の部分２１４と隣り合っている先端縁の外側面に形成されている環状凹溝２３２が第２のスリーブ２２に形成されているフランジ２３１に係止され、また、第二の部分自体の外側面に形成されている環状凹溝２３３がネック３１０の内側面に形成されているフランジ３１１に係止されているので、外カバーとしての第２のスリーブ２２と共にシャフト３２に沿って移動することもなく、ネックセル２全体の構成及び制震機能を更に長期間保持することができる。
【産業上の利用可能性】
【００２６】
上述のように本発明のゴルフクラブは、ネックセルが制震機能を有するばかりでなく、打球時の振動による衝撃力により変形・復元する伸縮運動を繰り返しても、移動しにくいので、ネックセルの構成及び制震機能を長期間保持することができる。
【符号の説明】
【００２７】
２  ネックセル
１１  ヘッド本体
１２  シャフト
１３  ネックセル
１４  ネックセル
２１  第１のスリーブ
２２  第２のスリーブ
３１  ヘッド本体
３２  シャフト
１１１  ネック
１４１  第１のスリーブ
１４２  第２のスリーブ
２１１  他端面
２１２  一端面
２１３  第一の部分
２１４  第二の部分
２２１  先端面
２２２  段面
２２４  小径部
２２５  大径部
２３１  フランジ
２３２  環状凹溝
２３３  環状凹溝
３１０  ネック
３１１  フランジ
【図１】
2011254946.tif 000003
【図２】
2011254946.tif 000004
【図３】
2011254946.tif 000005
【図４】
2011254946.tif 000006
【図５】
2011254946.tif 000007